(57)【要約】【課題】ポケットの中に入れて持ち歩いていているときに低温火傷の危険性があることがユーザに分かるように通知される携帯電子機器およびその携帯電子機器における火傷防止方法を提供する。【解決手段】タイマを作動させて所定の時刻ごとに温度センサで温度を測定する（ステップＳ５０４）。タイマ値ｔｎと温度センサで測定した温度Ｔｎとを用いて温度上昇速度を算出する（ステップＳ５０５）。この温度上昇速度と、テーブル内の温度上昇カーブとを比較して密閉環境下にあって温度が上昇して低温火傷のおそれがあるかどうかを判定し（ステップＳ５０６）、おそれがあると判定したらバイブレータを駆動して筐体を振動させる（ステップＳ５０７）。【選択図】図５
2009089039.tif 000002
【特許請求の範囲】
【請求項１】
電源オン状態にあるときに動作に伴って発熱する携帯電子機器において、
電源オン状態にある当該携帯電子機器が密閉環境にあるか否かを判定するための温度上昇カーブを記憶しておく記憶手段と、
温度センサと、
計時手段と、
当該携帯電子機器を振動させるバイブレータと、
前記記憶手段に記憶された温度上昇カーブと、前記温度センサで検出された温度および前記計時手段で計測された時間とから算出される温度上昇速度とを比較して当該携帯電子機器が密閉環境にあるか否かを判定するとともに、前記温度センサで検出された温度および前記計時手段で計測された時間とに基づいて低温火傷のおそれがあるか否かを判定する判定手段と、
前記判定手段により、当該携帯電子機器が密閉環境に置かれており、かつ低温火傷のおそれがあると判定された場合に、前記バイブレータを駆動して当該携帯電子機器を振動させるバイブレータ駆動手段とを備えたことを特徴とする携帯電子機器。
【請求項２】
前記判定部は、さらに、前記バイブレータ駆動手段により前記バイブレータが駆動された後の、前記温度センサにより検出された温度および前記計時手段により計測された時間に基づいて、低温火傷のおそれがある状態が継続しているか否かを判定するものであって、
前記判定手段により低温火傷のおそれのある状態がなおも継続している旨判定された場合に、電源をオフし、あるいは動作制限により消費電力を低減させる発熱抑制手段を備えたことを特徴とする請求項１記載の携帯電子機器。
【請求項３】
不揮発性メモリと、
画像を表示する表示画面と、
前記判定手段により、当該携帯電子機器が密閉環境に置かれており、かつ低温火傷のおそれがあると判定された場合に、当該判定結果を前記不揮発性メモリに書き込む判定書込み手段と、
電源オン時に前記不揮発性メモリを参照して、前回電源オフの前に低温火傷のおそれのある状態にあったことが書き込まれていた場合に、前記表示画面に前回低温火傷のおそれがあった旨、表示させる判定結果表示手段とを備えた請求項１又は２記載の携帯電子機器。
【請求項４】
当該携帯電子機器が、予め設定された設定時間に亘って操作されなかった場合に電源オフとなるオートパワーオフ手段を備え、
前記判定手段は、前記設定時間が所定時間よりも長い場合、および、前記オートパワーオフ手段が作用しないモードで当該携帯電子機器が動作している場合に限り、前記判定を行なうものであることを特徴とする請求項１から３のうちのいずれか１記載の携帯電子機器。
【請求項５】
前記判定手段は、さらに、バイブレータ駆動手段により前記バイブレータが駆動された後の、前記温度センサにより検出された温度および前記計時手段により計測された時間に基づいて、低温火傷のおそれがある状態が継続しているか否かを判定するものであって、
前記判定手段により低温火傷のおそれのある状態がなおも継続している旨、判定された場合に、前記設定時間を前記所定時間以下の短時間に設定し直した上で、電源をオフし、あるいは動作制限により消費電力を低減させる発熱抑制手段を備えたことを特徴とする請求項４記載の携帯電子機器。
【請求項６】
当該携帯電子機器がデジタルカメラであることを特徴とする請求項１から５のうちのいずれか１項記載の携帯電子機器。
【請求項７】
電源オン状態にあるときに動作に伴って発熱する携帯電子機器における火傷防止方法において、
電源オン状態にある当該携帯電子機器が密閉環境にあるか否かを判定するための温度上昇カーブを記憶しておき、
温度と時間の計測を繰り返しながら、
記憶しておいた温度上昇カーブと、計測された温度および時間とから算出される温度上昇速度とを比較して当該携帯電子機器が密閉環境にあるか否かを判定するとともに、計測された温度および時間に基づいて低温火傷のおそれがあるか否かを判定し、
当該携帯電子機器が密閉環境に置かれており、かつ低温火傷のおそれがあると判定された場合に、当該携帯電子機器を振動させることを特徴とする火傷防止方法。
【請求項８】
当該携帯電子機器を振動させた後に計測された温度および時間に基づいて低温火傷のおそれがある状態が継続しているか否かを判定し、
低温火傷のおそれがある状態がなおも継続していると判定された場合に、電源オフし、あるいは動作制限により消費電力を低減させることを特徴とする請求項７記載の火傷防止方法。
【請求項９】
前記判定手段により、当該携帯電子機器が密閉環境に置かれており、かつ低温火傷のおそれがあると判定された場合に、当該判定結果を記憶しておき、
次回の電源オン時に、前回の電源オフの前に低温火傷のおそれのある状態にあったことが記憶されていた場合に、低温火傷のおそれがあった旨、表示することを特徴とする請求項７又は８記載の火傷防止方法。
【発明の詳細な説明】
【技術分野】
【０００１】
本発明は、電源オン状態にあるときに動作に伴って発熱する携帯電子機器、およびその携帯電子機器における火傷防止方法に関する。
【背景技術】
【０００２】
カメラ付き携帯電話機や電子手帳などの携帯電子機器が普及し、誰でもが一台は持つようになってきている。これらの携帯電子機器は電池からの電力供給を受けて動作するものであって電源オン状態にあるときには動作に伴って発熱するが、携帯中は発熱が起きても周囲の空気により筐体が自然冷却されて火傷を負わない程度の一定の温度に保たれるように設計されている。
【０００３】
しかし、携帯電子機器を所有するユーザの中には、うっかりと携帯電子機器を電源オン状態にしたままポケットに入れて持ち歩いてしまう人がいる。大抵の携帯電子機器にはオートパワーオフ機能が搭載されているので問題はないが、そのオートパワーオフ機能が作動しない場合には、ポケットの中の筐体の温度が密閉環境に置かれて予想以上に温度上昇してしまう。この様な場合には、ポケットと人の肌の間に一枚の布しかないことがあり、そのポケットに接する肌の部分が低温火傷を負ってしまうことがある。一例ではあるが、筐体の温度が４４℃になっていた場合には、６時間で肌が低温火傷の状態になると言われている。
【０００４】
特許文献１には、筐体の表面温度を検出して時間と温度の関係をグラフ化して低温火傷の危険温度であるかどうかを判定し、低温火傷の危険がある場合には音や表示を使ってユーザに注意を喚起する技術が提案されているが、上述した様にユーザがポケットの中に携帯電子機器を入れて持ち歩いている場合には音や表示を使って注意を喚起してもユーザにはなかなか伝わらないことも多い。
【特許文献１】特開２００７−７４０９５号公報
【発明の開示】
【発明が解決しようとする課題】
【０００５】
本発明は、上記事情に鑑み、ポケットの中に入れて持ち歩いていているときに低温火傷の危険性があることがユーザに分かるように通知される携帯電子機器およびその携帯電子機器における火傷防止方法を提供することを目的とする。
【課題を解決するための手段】
【０００６】
上記目的を達成するための本発明の携帯電子機器は、電源オン状態にあるときに動作に伴って発熱する携帯電子機器において、
電源オン状態にある当該携帯電子機器が密閉環境にあるか否かを判定するための温度上昇カーブを記憶しておく記憶手段と、
温度センサと、
計時手段と、
当該携帯電子機器を振動させるバイブレータと、
上記記憶手段に記憶された温度上昇カーブと、上記温度センサで検出された温度および上記計時手段で計測された時間とから算出される温度上昇速度とを比較して当該携帯電子機器が密閉環境にあるか否かを判定するとともに、上記温度センサで検出された温度および上記計時手段で計測された時間とに基づいて低温火傷のおそれがあるか否かを判定する判定手段と、
上記判定手段により、当該携帯電子機器が密閉環境に置かれており、かつ低温火傷のおそれがあると判定された場合に、上記バイブレータを駆動して当該携帯電子機器を振動させるバイブレータ駆動手段とを備えたことを特徴とする。
【０００７】
上記本発明の携帯電子機器によれば、上記判定手段により当該携帯電子機器が密閉環境に置かれており、かつ低温火傷のおそれがあると判定された場合に、上記バイブレータ駆動手段による上記バイブレータの駆動によって当該形態電子機器の振動がユーザに伝えられることにより低温火傷の危険性がユーザに通知される。
【０００８】
いままではポケット等の密閉環境に置かれることは判定されておらず音や表示によってユーザに通知されていたために、ポケットに持ち歩いているときには低温火傷の危険性がユーザに的確に通知されなかったが、本発明の電子携帯機器によればポケットにこの電子携帯機器を入れて持ち歩いていたとしても振動により低温火傷の危険性が確実にユーザに通知される。
【０００９】
ここで、上記判定部は、さらに、上記バイブレータ駆動手段により上記バイブレータが駆動された後の、上記温度センサにより検出された温度および上記計時手段により計測された時間に基づいて、低温火傷のおそれがある状態が継続しているか否かを判定するものであって、
上記判定手段により低温火傷のおそれのある状態がなおも継続している旨判定された場合に、電源をオフし、あるいは動作制限により消費電力を低減させる発熱抑制手段を備えた態様であることが好ましい。
【００１０】
上記のように振動によって危険が通知されても、ユーザの中には気がつかない人もいる。
【００１１】
そこで、振動によって火傷の危険性が通知された後、なおも低温火傷のおそれのある状態が継続している旨が上記判定部によって判定された場合には、上記発熱抑制手段によって電源がオフされる構成にしておくか、あるいは動作制限により消費電力が低減される構成にしておくと良い。
【００１２】
前述した様に、筐体の温度が４４℃であった場合には、４４℃の筐体に肌が６時間ほど接触し続けると低温火傷に至るので、危険性が継続している旨が上記判定部によって判定された場合には、上記発熱抑制手段によって電源がオフされるか、あるいは動作制限により消費電力が低減されることによって筐体の温度が時間の経過とともに下げられる構成にしておくと、ユーザが低温火傷を負うことが未然に防止される。
【００１３】
また、不揮発性メモリと、
画像を表示する表示画面と、
上記判定手段により、当該携帯電子機器が密閉環境に置かれており、かつ低温火傷のおそれがあると判定された場合に、当該判定結果を前記不揮発性メモリに書き込む判定書込み手段と、
電源オン時に上記不揮発性メモリを参照して、前回電源オフの前に低温火傷のおそれのある状態にあったことが書き込まれていた場合に、上記表示画面に前回低温火傷のおそれがあった旨、表示させる判定結果表示手段とを備えた態様であることが好ましい。
【００１４】
そうすると、今回の使用の前に、前回低温火傷の危険性があったことを表示画面上の表示してユーザに低温火傷の危険性についての注意を喚起することができる。
【００１５】
また、当該携帯電子機器が、予め設定された設定時間に亘って操作されなかった場合に電源オフとなるオートパワーオフ手段を備え、
上記判定手段は、上記設定時間が所定時間よりも長い場合、および、上記オートパワーオフ手段が作用しないモードで当該携帯電子機器が動作している場合に限り、上記判定を行なうものであることが好ましい。
【００１６】
上記オートパワーオフ手段が作用するモードであればポケット内に当該電子携帯機器を入れていたとしても筐体の温度上昇は避けられる。
【００１７】
しかしオートパワーオフ手段の設定時間が所定の時間よりも長かったり、オートパワーオフモード自体がオフされていると、長時間、電源オン状態のままになるので筐体の温度は上昇して高温状態を保つようになって低温火傷の危険性が出てくる。こういった場合に上記判定が行なわれて上記バイブレータの駆動による筐体の振動によりユーザに低温火傷の危険性が通知されると相応の効果が得られる。
【００１８】
さらに、上記判定手段は、さらに、バイブレータ駆動手段により上記バイブレータが駆動された後の、上記温度センサにより検出された温度および上記計時手段により計測された時間に基づいて、低温火傷のおそれがある状態が継続しているか否かを判定するものであって、
上記判定手段により低温火傷のおそれのある状態がなおも継続している旨、判定された場合に、上記設定時間を上記所定時間以下の短時間に設定し直した上で、電源をオフし、あるいは動作制限により消費電力を低減させる発熱抑制手段を備えた態様であることが好ましい。
【００１９】
そうすると、次回においては上記オートパワーオフ手段を作用させるまでの時間が短くなって上記発熱抑制手段が電源をオフし、あるいは動作制限により消費電力を低減させなくても、オートパワーオフ手段が電源をオフしユーザが低温火傷を負うことが未然に防止される。
【００２０】
ここで、当該携帯電子機器は、デジタルカメラであっても良い。
【００２１】
また上記目的を達成する本発明の火傷防止方法は、電源オン状態にあるときに動作に伴って発熱する携帯電子機器における火傷防止方法において、
電源オン状態にある当該携帯電子機器が密閉環境にあるか否かを判定するための温度上昇カーブを記憶しておき、
温度と時間の計測を繰り返しながら、
記憶しておいた温度上昇カーブと、計測された温度および時間とから算出される温度上昇速度とを比較して当該携帯電子機器が密閉環境にあるか否かを判定するとともに、計測された温度および時間に基づいて低温火傷のおそれがあるか否かを判定し、
当該携帯電子機器が密閉環境に置かれており、かつ低温火傷のおそれがあると判定された場合に、当該携帯電子機器を振動させることを特徴とする。
【００２２】
さらに、当該携帯電子機器を振動させた後に計測された温度および時間に基づいて低温火傷のおそれがある状態が継続しているか否かを判定し、
低温火傷のおそれがある状態がなおも継続していると判定された場合に、電源オフし、あるいは動作制限により消費電力を低減させることを特徴とする。
【００２３】
また、上記判定手段により、当該携帯電子機器が密閉環境に置かれており、かつ低温火傷のおそれがあると判定された場合に、当該判定結果を記憶しておき、
次回電源オン時に、前回電源オフの前に低温火傷のおそれのある状態にあったことが記憶されていた場合に、低温火傷のおそれがあった旨、表示すると尚良い。
【発明の効果】
【００２４】
以上説明した様に、ポケットの中に入れて持ち歩いていているときなど、密閉空間に置かれている場合であっても低温火傷の危険性があることがユーザに分かるように通知される携帯電子機器およびその携帯電子機器における火傷防止方法が実現する。
【発明を実施するための最良の形態】
【００２５】
以下、図面を参照して本発明の実施の形態を説明する。
【００２６】
図１は、本発明の携帯電子機器の一実施形態であるデジタルカメラを示す図である。
【００２７】
図１に示す様に、ボディの中央には撮影光学系が内蔵されたレンズ鏡胴１１０が備えられており、そのレンズ鏡胴１１０の上方にはファインダ１０１が備えられている。またそのファインダ１０１の横には閃光発光窓１０２が備えられており、被写界の輝度が所定の輝度よりも暗い場合にはその閃光発光窓１０２を通して閃光が発せられて撮影が行なわれる構成になっている。また上面にはレリーズボタン１０３と電源スイッチ１０４とモードダイヤル１０５が備えられている。尚図示はしないが、背面側には表示画面や撮影モードや再生モード等におけるいろいろなメニューを指定するための操作子類が備えられている。
【００２８】
図２は、図１のデジタルカメラ１の内部の構成を示す図である。
【００２９】
なお、閃光発光部は、発明に直接関係がないので省略されている。
【００３０】
本実施形態のデジタルカメラ１の動作は、ＣＰＵ１００によって統括的に制御されている。ＣＰＵ１００には、プログラムメモリが内蔵されており、そのプログラムメモリ内にはプログラムが書き込まれている。そのＣＰＵ１００の入力部には、レリーズボタン１０３や電源スイッチ１０４やモードダイヤル１０５等の入力操作子が接続されており、ＣＰＵ１００は、まず電源スイッチ１０４の投入を受けてプログラムメモリ内のプログラムの記述にしたがって図１のデジタルカメラ１の動作を制御し、それ以降のモードダイヤル１０５、レリーズボタン１０３等の操作に応じた処理を実行する。
【００３１】
またこのＣＰＵ１００によって制御される撮像部１１１には、図１のレンズ鏡胴１１０に内蔵されている撮影光学系と撮像素子と後段の画像処理部に供給するための画像データに変換するための前処理を行なう前処理部とが備えられている。上記ＣＰＵ１００に電源スイッチ１０４のオン信号が供給され、さらにモードダイヤル１０５から撮影モード信号が供給されてくると、ＣＰＵ１００は、上記撮像部１１１を制御してその撮像部１１１に撮影を開始させ撮像部１１１に画像データの出力を開始させる。
【００３２】
その撮像部１１１の後段には、画像処理部１１２が備えられており、その画像処理部１１２では、上記撮像部１１１からの画像データの出力を受けてＣＰＵ１００の制御の下に一連の画像処理プロセスが実行される。
【００３３】
レリーズボタン１０３が操作される前においては、撮像部１１１が備える撮像素子から全画素からなる画像データが出力されずに全画素のうちの途中の画素が適当に間引かれた画像データが画像処理部１１２に出力され画像処理部１１２で表示用の画像処理が行なわれて表示部１１３へと供給され表示部１１３が備えるＬＣＤの表示画面上にその画像データに基づく画像がスルー画として表示される。
【００３４】
ここで、レリーズボタン１０３が操作されると、ＣＰＵ１００は撮像部１１１に指示して全画素の画像データを出力させて画像処理部１１２に供給させる。画像処理部１１２では、撮像部１１１からの全画素の画像データを受けて記録用の画像処理が行なわれ画像処理が行なわれた画像データがＣＰＵ１００の制御の下に記録媒体１１４に記録される。
【００３５】
図１のデジタルカメラは以上のように動作する。
【００３６】
ここで、本発明に関係のある部分の構成を、図２を参照して説明する。
【００３７】
本実施形態のデジタルカメラ１は、バッテリＢＴからの電力の供給を受けて動作するものであって、ＣＰＵ１００にはそのバッテリＢＴからの電力が常時供給されている。一般的に電源オフ状態においては、ＣＰＵ１００は、いわゆる待ち受け状態にあって電源スイッチ１０４の操作を待ち受けている。ここで電源スイッチ１０４の操作があると、ＣＰＵ１００は、バッテリＢＴからの電力を、スイッチＳＷを通して上記撮像部１１１や表示部１１３などに供給する。
【００３８】
前述の課題に掲げたように、ユーザが電源オン状態のままポケットに入れて持ち歩いているときにはスイッチＳＷが閉じままになって各部に電力が供給された状態のままになるので図１のデジタルカメラ１の表面温度が上昇して低温火傷の危険性が生じる。そこで、本実施形態においては、バイブレータＶｉｂを配備してそのバイブレータＶｉｂを本発明にいうバイブレータ駆動部になるＣＰＵ１００によって駆動してバイブレータＶｉｂを振動させることによって図１のデジタルカメラがポケット内に入れられていたとしてもユーザに低温火傷の危険性を通知することができる構成を採用している。
【００３９】
またこのバイブレータＶｉｂを作動させるにあたっては、前述した様に低温火傷が長時間の間、肌が高温部に接触し続けることによって引き起こされるということを踏まえて、時間と温度との関係が示された温度テーブルＴＢを配備するとともに、タイマＴＭと温度センサＴＨとを設けて、そのタイマＴＭによる計時と温度センサＴＨで検出された温度とから算出される温度上昇速度と、上記温度テーブルＴＢ内の温度情報カーブとを比較して、低温火傷が生じる密閉環境であると判定したときに上記バイブレータＶｉｂを作動させるようにしている。
【００４０】
図３は、温度テーブルＴＢに記憶されている温度上昇カーブの一例を示す図である。
【００４１】
図３には、密閉環境であるか、開かれた環境であるかに応じて、表面に露出する表示画面（ここでは表示部１１３が備えるＬＣＤ）の温度がどの程度上昇するかが温度上昇カーブで示されている。図３の横軸は時間であり、縦軸は温度上昇（ΔＴ）である。つまり図中に示されているカーブは、温度上昇速度を示すカーブになる。
【００４２】
なお、図３には、ＬＣＤの他、デジタルカメラ等の携帯電子機器内部の部品の温度上昇カーブも多数示されている。
【００４３】
図３に示す様に、ポケットなどの密閉環境下にあるときにはＬＣＤの温度が短時間のうちに上昇しており、大気雰囲気中などの開かれた環境下にあるときよりも温度上昇が激しく短時間のうちに高温に達して収束する。このように高温に収束した状態がポケット内に置かれているときに継続すると、ユーザが低温火傷を負う危険性が高まる。
【００４４】
図４は、一定環境下にあるときとポケットなどの密閉環境下にあるときの温度上昇の状態を模式的に示した図である。図4の横軸は時間であり、縦軸は温度である。
【００４５】
図４に示す様に、図１のデジタルカメラがポケット内にあるときには符合ＴＰで示す温度上昇カーブになって早い時間のうちに温度が上昇して所定の温度Ｔに達する。これに対して開かれた環境下にあるときには符号ＴＳで示す温度上昇カーブになって、なかなか所定の温度Ｔに達しない。そこで、早い時間のうちに所定の温度Ｔに達し、さらにその温度Ｔに達したときから、さらに所定の時間ｔ内に上昇する状態が発生したときには、密閉環境にあるとしてバイブレータＶｉｂを作動させてユーザに注意を喚起する構成にしている。
【００４６】
図５は、ＣＰＵ１００が行なう処理手順を示すフローチャートである。
【００４７】
ステップＳ５０１で、正数値ｎを０にセットしてその時点のタイマ値をｔ０として一回目の温度計測Ｔ０を行なう。次のステップＳ５０２へ進んで、正数値ｎをインクリメントしてｎ＝１にして次のステップＳ５０３へ進み、ステップＳ５０３で一定時間が経過したかどうかを判定する。このステップＳ５０３でタイマ値を参照して一定時間がまだ経過していないと判定したらＮ側へ進みステップＳ５０３の処理を繰り返し、ステップＳ５０３で一定時間が経過したと判定したら次のステップＳ５０４へ進む。ステップＳ５０５でｔｎ（ｎ＝１）のタイマ値を時刻ｔ１として２回目の温度（Ｔ１）計測を行なう。次のステップＳ５０５で、２回目の測定値Ｔ１から１回目の測定値Ｔ０を減算しさらにｔ１−ｔ０で除算して温度上昇速度を算出し、温度テーブルＴＢ内の、開かれた環境下の温度上昇カーブＴＳと比較する。この比較で、開かれた環境下の温度上昇カーブＴＳの時刻ｔ１のときの温度よりも高いかどうかを判定する。このステップＳ５０５で温度上昇カーブＴＳの時刻ｔ１のときの温度が低いと判定したときは、ステップＳ５０１に戻って次の測定を行なう準備をし、以降ステップＳ５０２からステップＳ５０５の処理を繰り返す。ステップＳ５０５で、温度上昇カーブＴＳよりも高いと判定したらＹ側へ進んでステップＳ５０６で次の時刻ｔ２、更に次の時刻ｔ３の温度を測定して温度上昇速度を算出して図４のポケット内にあるときの温度上昇カーブＴＰの特性を示す状態にあって低温火傷の懸念状態に達しているかどうかを判定する。このステップＳ５０６で達していると判定したらＹ側へ進んでステップＳ５０７でバイブレータを振動させてこのフローの処理を終了する。
【００４８】
以上の構成にすると、電源オン状態のままポケットに入れて持ち歩いていたとしても低温火傷の懸念があるときにはバイブレータを駆動して筐体ごと振動させることによりユーザに低温火傷の危険性があることをいままでよりも分かり易く通知することができる。
【００４９】
ここで、第１実施形態ではバイブレータＶｉｂを駆動して筐体を振動させることによりユーザに注意を喚起する構成を説明したが、ポケットに入れられていたときにおいても場合によっては筐体の振動がうまく伝わらずに低温火傷が発生する環境が整えられてしまうおそれがある。
【００５０】
そこで、バイブレータＶｉｂを作動させて筐体を振動させても電源スイッチが切られるなどの操作が行なわれずに、なおも低温火傷のおそれがある状態が継続している場合には、デジタルカメラ１が自動的に電源をオフし、あるいは動作制限により消費電力を低減させる構成にしておくと良い。
【００５１】
図６は、ＣＰＵ１００がバイブレータを振動させた後、電源をオフし、あるいは動作制限により消費電力を低減させる構成にした場合の処理の手順を示す図である。
【００５２】
図６のステップＳ５０１からステップＳ５０７までの処理は図５の処理と同じであり、さらに、ステップＳ５０８からステップＳ５０９の処理が追加されている。なお、図６の波線は、図５のステップＳ５０１からステップＳ５０４までの処理の記述が省略されているということを示す。
【００５３】
図５のステップＳ５０７でバイブレータを駆動して筐体を振動させた後のステップＳ５０８からステップＳ５０９の処理を説明する。
【００５４】
ステップＳ５０７でバイブレータを駆動して筐体を振動させた後、ステップＳ５０８でＣＰＵ１００が低温火傷の恐れのある状態がなおも継続している旨判定した場合には、Ｙｅｓ側へ進んでステップＳ５０９でスイッチＳＷを断状態にして電源をオフし、あるいは動作制限（ＬＣＤをスリープモードにする等）により消費電力を低減させる。
【００５５】
ステップＳ５０８で低温火傷のおそれのある状態が継続していない場合には注意を喚起するためにステップＳ５０７の処理を繰り返してバイブレータＶｉｂを駆動して筐体を振動させ続ける。
【００５６】
以上の構成にすると、ユーザがバイブレータの振動に気が付かずに電源スイッチをオフにしなくても、低温火傷のおそれがある場合にはカメラが自動的に電源をオフし、あるいは動作制限により消費電力を低減させるので、ユーザに意識させずにデジタルカメラ側の処理によってユーザが低温火傷を負う事態が未然に回避される。また、時間の経過とともに低温火傷のおそれが解消されたときでもバイブレータを駆動して筐体を振動させ続けることによりユーザに低温火傷の危険性に対する注意を喚起することができる。
【００５７】
ここで、デジタルカメラ側の処理によって低温火傷を負う事態が未然に回避されると、ユーザは気が付かずに同じことを何度も繰り返すおそれがあるので、上記例ではバイブレータを駆動して筐体を振動させ続けて注意を喚起する構成にしたが、低温火傷を負う事態がカメラ側の処理によって未然に回避されたということを次回の撮影機会のときにユーザに通知してユーザに低温火傷に対する注意を喚起して再発を防止する構成にしても良い。
【００５８】
図７は、ＣＰＵ１００が前回の使用時に低温火傷の危険性があったことを、次回の使用時にユーザに通知する構成にした場合のデジタルカメラ１の内部構成を示す図である。また図８は、ＣＰＵ１００が、前回の使用時に低温火傷の危険性があったことを、次回の使用時にユーザに通知する構成にしたときのＣＰＵ１００の処理手順を示すフローチャートである。図７の構成は、ＥＥＰＲＯＭ１００Aが追加されている以外は、図２の構成と同じ構成である。図８（ａ）には、ＣＰＵの、前回の使用時における終了時の処理が示されており、図８（ｂ）には、ＣＰＵの、今回の使用時における初期処理がそれぞれ示されている。
【００５９】
図８（ａ）には、図５のフローの処理にステップＳ５０６１の処理が挿入された処理の手順が示されている。また図８（ｂ）には図５のフローの処理にステップＳ５００５からステップＳ５００７までの初期処理が追加された処理の手順が示されている。
【００６０】
図８（ａ）のステップＳ５０６１で、図７に示すＥＥＰＲＯＭ１００Ａに、ステップＳ５０６で当該携帯電子機器が密閉環境に置かれており、かつ低温火傷のおそれがあると判定した場合に当該判定結果をＥＥＰＲＯＭ１００Ａに書き込んで次のステップＳ５０７で電源をオフしてこのフローの処理を終了する。
【００６１】
そして今回の使用のときには初期処理のステップＳ５００５で電源オン時にＥＥＰＲＯＭ１００Ａを参照し、次のステップＳ５００６で前回の電源オフの前に低温火傷のおそれのある状態にあったことが書き込まれていた場合にその書き込む内容を読み出し、次のステップＳ５００６で前回、前回低温火傷のおそれがあったかどうかを判定してステップＳ５００７で前回低温火傷のおそれがあった旨表示させてＥＥＲＰＯＭ１００Ａをクリアして、以降図５のステップＳ５０１からの処理を実行する。
【００６２】
またステップＳ５００６でＥＥＰＲＯＭ１００Ａに低温火傷のおそれがあったことが書き込まれていないと判定したら、ステップＳ５００７をスキップしてステップＳ５０１へ進んで図５のステップＳ５０１からの処理を実行する。
【００６３】
以上の構成にすると、前回の使用時に低温火傷の危険性があったことが今回の使用に先立って表示画面上に表示されるので、低温火傷の危険性に対する注意をユーザに喚起することができる。
【００６４】
ところで、通常の機器には、オートパワーオフモードが搭載されており、オートパワーオフモードが作用すれば低温火傷の危険性はまず出てこない。しかし、オートパワーオフモードの設定時間が所定時間よりも長い場合（オートパワーオフモードオフである場合も含む）、およびオートパワーオフ手段が作用しないモード、たとえば動画記録モードで当該携帯電子機器が動作している場合には低温火傷の危険性が出てくる。
【００６５】
そこで、オートパワーオフモードの設定時間が所定時間よりも長い場合、およびオートパワーオフ手段が作用しないモードで当該携帯電子機器が動作している場合に限り、ＣＰＵ１００が、低温火傷の危険性があるか否かの判定を行なう構成にするとＣＰＵ１００の負荷を低減することができる。
【００６６】
図９は、オートパワーオフモードが搭載されている場合の処理を説明する図である。
【００６７】
ステップＳ５００１とステップＳ５００２の処理とステップＳ５０６１の処理が追加されている以外は、図５のフローと同じである。
【００６８】
ステップＳ５００１でオートパワーオフモードがオンされ、さらに設定時間が所定の時間よりも短い時間に設定されているかどうかを判定する。
【００６９】
ステップＳ５００１でオートパワーオフモードがオンか、又は設定時間が所定の時間よりも短いと判定したら、ステップＳ５００２へ進んでステップＳ５００２でオートパワーオフモードが作用しないモードであるかどうかを判定する。このステップＳ５００２でオートパワーオフモードが作用するモードであった場合にはＹ側へ進んでこのフロー処理を終了する。
【００７０】
ステップＳ５００２でオートパワーオフモードが作用しない例えば動画記録モードであった場合にはＮ側へ進み、図５のステップＳ５０１からの処理を実行する。
【００７１】
またステップＳ５００１で、オートパワーオフモードがオフであってしかも設定時間が所定の時間よりも長いと判定したらＮ側へ進んで図５のステップＳ５０１からの処理を実行する。
【００７２】
そしてステップＳ５０１からステップＳ５０６までの処理を実行してステップＳ５０６で低温や経度の懸念状態に達していると判定したらＹｅｓ側へ進んでステップＳ５０６１で、オートパワーオフモードの設定時間を短時間に設定し直してステップＳ５０９で電源をオフしてこのフローの処理を終了する。
【００７３】
このようにしておくと、オートパワーオフモードが設定されているときには低温火傷の危険性があるか否かの判定を行なわなくても良くなり、さらにオートパワーオフモードの設定時間が長くオートパワーオフされるまでに低温火傷の危険性が生じる設定であった場合には、次回の使用に備えて設定時間が所定の時間よりも短い時間に設定し直されるので、オートパワーオフ手段をより有効に活用してＣＰＵの負荷を低減することができる。
【図面の簡単な説明】
【００７４】
【図１】本発明の携帯電子機器の一実施形態であるデジタルカメラを示す図である。
【図２】図１のデジタルカメラの内部の構成を示す図である。
【図３】温度テーブルＴＢに記憶されている温度上昇カーブの一例を示す図である。
【図４】一定環境下にあるときとポケットなどの密閉環境下にあるときの温度上昇の状態を模式的に示した図である。
【図５】ＣＰＵ１００が行なう処理手順を示すフローチャートである。
【図６】ＣＰＵ１００がバイブレータを振動させた後、電源をオフし、あるいは動作制限により消費電力を低減させる構成にした場合の処理の手順を示す図である。
【図７】次回の使用時に、ＣＰＵ１００が、前回の使用のときにユーザに低温火傷の危険性があったことを通知する構成を示す図である。
【図８】次回の使用時に、ＣＰＵ１００が、前回の使用のときにユーザに低温火傷の危険性があったことを通知する構成にした場合の処理の手順を示すフローチャートである。
【図９】オートパワーオフモードが搭載されている場合の処理を説明する図である。
【符号の説明】
【００７５】
１    デジタルカメラ
１００  ＣＰＵ
１１１  撮像部
１１２    画像処理部
１１３    表示部
１１４    記録媒体
ＴＨ    温度センサ
ＴＭ    タイマ
Ｖｉｂ    バイブレータ
ＢＴ    バッテリ
【図１】
2009089039.tif 000003
【図２】
2009089039.tif 000004
【図３】
2009089039.tif 000005
【図４】
2009089039.tif 000006
【図５】
2009089039.tif 000007
【図６】
2009089039.tif 000008
【図７】
2009089039.tif 000009
【図８】
2009089039.tif 000010
【図９】
2009089039.tif 000011